(57)【要約】【課題】  ガラスが押されても叩かれても悪影響なく遊技ができる遊技機を提供する。【解決手段】  遊技盤５の遊技領域を視認可能な開口部を有する開閉扉８に取り付けられるガラスユニット２３を備え、ガラスユニットは、２枚のガラス板９を保持する周縁保持枠４５の上部に被係止部５０を備え、開閉扉は、被係止部を係止する係止部材２５を裏面上部に設け、この係止部材は、回動軸に軸着される軸着部と、軸着部の外周に設けられて当接部との間に被係止部を挟持して押圧する押圧部７４と、押圧部から後方に延出されて係止部材を操作するための操作部７５とを備え、開閉扉を閉じた状態で操作部の後端が前記遊技盤前面に当接するようにした。【選択図】  図１４
2006020809.tif 000002
【特許請求の範囲】
【請求項１】
遊技盤を取り付ける前面枠と、
前記遊技盤の遊技領域を視認可能な開口部を有し、前記前面枠に開閉可能に取り付けら
れる開閉扉と、
前記開閉扉の裏面側から前記開口部を覆うように取り付けられるガラスユニットと、
を備えた遊技機において、
前記ガラスユニットは、
ガラス板と、
該ガラス板の周縁を保持する周縁保持枠と、
を備え、
前記開閉扉は、
前記開口部が形成され略額縁状の開閉扉本体と、
前記開閉扉本体の裏面に設けられ、前記ガラスユニットを係止する係止状態と前記ガラスユニットの係止を解除した解除状態とに変換可能な係止部材と、
を備え、
前記周縁保持枠は、
当該周縁保持枠の所定部位から外側方向に延設され、前記係止部材に係止される被係止部を備え、
前記開閉扉本体は、
前記ガラスユニットを開閉扉本体に取り付けた状態で前記被係止部が当接する当接部と、
前記係止部材が回動可能に取り付けられる回動軸と、
を備え、
前記係止部材は、
前記回動軸に軸着される軸着部と、
前記軸着部の外周に設けられ、前記係止状態で前記当接部との間に前記被係止部を挟持して押圧する押圧部と、
前記押圧部から後方に延出され、当該係止部材を操作するための操作部と、
を備え、
前記開閉扉を閉じた状態で、前記操作部の後端が前記遊技盤前面に近接乃至当接するように構成したことを特徴とする遊技機。
【請求項２】
前記遊技盤は、
前面に前記遊技領域が形成される遊技盤本体と、
前記遊技盤本体の前面で前記遊技領域の外側に取り付けられる遊技盤前面取付部材と、
を備え、
前記遊技盤取付部材の前面に、前記係止部材の操作部の後端が当接するようにしたことを特徴とする請求項１に記載の遊技機。
【請求項３】
前記遊技盤取付部材から前方に突出した状態で当接受部を設け、
前記当接受部の前面に、前記係止部材の操作部の後端が当接するようにしたことを特徴とする請求項２に記載の遊技機。
【請求項４】
前記遊技盤は、
前面に前記遊技領域が形成される遊技盤本体と、
前記遊技盤本体の前面で前記遊技領域の外側に取り付けられる遊技盤前面取付部材と、
を備え、
前記操作部の後端が前記遊技盤本体の前面に当接するように前記操作部の後方への延出寸法を設定したことを特徴とする請求項１に記載の遊技機。
【請求項５】
前記当接受部の前面に、断面略Ｖ字状の溝を形成し、
前記溝の傾斜面により、前記操作部の後端を溝の最深部に案内可能としたことを特徴とする請求項３に記載の遊技機。
【請求項６】
前記当接部には、後方に向けて突出し、先端から基端に向けて次第に拡径するテーパーを形成した突起状の位置決め突部を設け、
前記被係止部の前記位置決め突部に対応する位置には、前記位置決め突部に嵌合する位置決め係合部が設けられていることを特徴とする請求項３から請求項５の何れかに記載の遊技機。
【請求項７】
前記係止部材の押圧部には、前方に向けて突出する係止突出部が形成され、
前記被係止部には、前記位置決め係合部から後方に貫通した貫通孔が形成され、
前記係止部材を係止状態に変換した状態で、前記係止突出部が前記貫通孔に係合するようにしたことを特徴とする請求項６に記載の遊技機。
【請求項８】
前記開閉扉には、前記開閉扉本体の裏面上部に前記係止部材を設けると共に、前記開閉扉本体の裏面下部に前記ガラスユニット下部の前後左右方向の位置規制をする係合孔を構成するための裏面部材を設け、
前記周縁保持枠には、当該周縁保持枠の上部に前記被係止部を設けると共に、前記係合孔に係合する係合部を当該周縁保持枠の下部から下方に向けて延設し、
前記開閉扉に前記ガラスユニットを取り付ける場合には、前記係合孔に前記係合部を上方から係合して、前記係止部材で前記被係止部を係止するようにしたことを特徴とする請求項１から請求項７のいずれかに記載の遊技機。
【請求項９】
前記裏面部材の裏面には、前記開閉扉を閉じた状態で、前記遊技盤前面に当接する遊技盤当接部を設けたことを特徴とする請求項８に記載の遊技機。
【発明の詳細な説明】
【技術分野】
【０００１】
本発明は、パチンコ機などの遊技機、特にガラス枠のガラスを通して遊技領域が見えるようにした遊技機に関する。
【背景技術】
【０００２】
従来の遊技機、例えば、パチンコ機においては、表面に遊技領域を形成した遊技盤を前面枠に装着し、この前面枠にガラス枠を開閉可能に軸着し、ガラス枠に設けた２枚のガラスを通して遊技盤の遊技領域が見えるように構成されている。そして、近年はガラス枠にガラスを取り付ける構成の改良も提案されている。例えば、２枚のガラスを保持枠に取り付けてガラスユニットを構成し、このガラスユニットを前扉に取り付けるために、ガイドピンとその係合孔とを組み合わせて回動可能とし、係止部と被係止部とを係止し、係止部は、前扉の裏面に設けられたピポット部に回転可能に支持され、係止部と前面扉の裏面で被係止部を挟持するようにしたパチンコ機が提案されている（特許文献１）。
【特許文献１】特開２００３−２８４８５０号公報
【発明の開示】
【発明が解決しようとする課題】
【０００３】
しかしながら、前記した従来のパチンコ遊技機では、遊技者が遊技に熱中してガラスを押したり叩いた場合に、係止部が回転軸でのみ取り付けられているので、係止部が破損したり、あるいは係止部が撓んでガラスが後方に移動し、遊技盤表面とガラスとの距離が小さくなってしまい、球詰まりが発生したり、入賞率が変化してしまうなどの不都合が生じる。また、入賞装置内の特定の領域を球が通過すると大当たりが発生するようにしたパチンコ機では、ガラスを押して故意に球詰まりを発生させて大当たりの発生率を高める不正行為が行われてしまう。
【０００４】
本発明は、上記に鑑み提案されたもので、その目的は、ガラスが押されても叩かれても悪影響なく遊技ができる遊技機を提供しようとするものである。
【課題を解決するための手段】
【０００５】
本発明は、上記目的を達成するために提案されたものであり、請求項１に記載のものは、遊技盤を取り付ける前面枠と、
前記遊技盤の遊技領域を視認可能な開口部を有し、前記前面枠に開閉可能に取り付けら
れる開閉扉と、
前記開閉扉の裏面側から前記開口部を覆うように取り付けられるガラスユニットと、
を備えた遊技機において、
前記ガラスユニットは、
所定間隔を空けて略平行に配置された２枚のガラス板と、      
ガラス板と、
該ガラス板の周縁を保持する周縁保持枠と、
を備え、
前記開閉扉は、
前記開口部が形成され略額縁状の開閉扉本体と、
前記開閉扉本体の裏面に設けられ、前記ガラスユニットを係止する係止状態と前記ガラスユニットの係止を解除した解除状態とに変換可能な係止部材と、
を備え、
前記周縁保持枠は、
当該周縁保持枠の所定部位から外側方向に延設され、前記係止部材に係止される被係止部を備え、
前記開閉扉本体は、
前記ガラスユニットを開閉扉本体に取り付けた状態で前記被係止部が近接乃至当接する当接部と、
前記係止部材が回動可能に取り付けられる回動軸と、
を備え、
前記係止部材は、
前記回動軸に軸着される軸着部と、
前記軸着部の外周に設けられ、前記係止状態で前記当接部との間に前記被係止部を挟持して押圧する押圧部と、
前記押圧部から後方に延出され、当該係止部材を操作するための操作部と、
を備え、
前記開閉扉を閉じた状態で、前記操作部の後端が前記遊技盤前面に当接するように構成したことを特徴とする遊技機である。
【０００６】
請求項２に記載のものは、前記遊技盤が、
前面に前記遊技領域が形成される遊技盤本体と、
前記遊技盤本体の前面で前記遊技領域の外側に取り付けられる遊技盤前面取付部材と、
を備え、
前記遊技盤取付部材の前面に、前記係止部材の操作部の後端が当接するようにしたことを特徴とする請求項１に記載の遊技機である。
【０００７】
請求項３に記載のものは、
前記遊技盤取付部材から前方に突出した状態で当接受部を設け、
前記当接受部の前面に、前記係止部材の操作部の後端が当接するようにしたことを特徴とする請求項２に記載の遊技機である。
【０００８】
請求項４に記載のものは、前記遊技盤が、
前面に前記遊技領域が形成される遊技盤本体と、
前記遊技盤本体の前面で前記遊技領域の外側に取り付けられる遊技盤前面取付部材と、
を備え、
前記操作部の後端が前記遊技盤本体の前面に当接するように前記操作部の後方への延出寸法を設定したことを特徴とする請求項１に記載の遊技機である。
前記遊技盤本体の前面に設けられ、遊技領域を区画する遊技領域区画部材と、
を備え、
前記操作部の後端が前記遊技盤本体の前面に当接するように前記操作部を後方に延出したことを特徴とする請求項１に記載の遊技機である。
【０００９】
請求項５に記載のものは、前記当接受部の前面に、断面略Ｖ字状の溝を形成し、
前記溝の傾斜面により、前記操作部の後端を溝の最深部に案内可能としたことを特徴とする請求項３に記載の遊技機である。
【００１０】
請求項６に記載のものは、前記当接部には、後方に向けて突出し、先端から基端に向けて次第に拡径するテーパーを形成した突起状の位置決め突部を設け、
前記被係止部の前記位置決め突部に対応する位置には、前記位置決め突部に嵌合する位置決め係合部が設けられていることを特徴とする請求項３から請求項５の何れかに記載の遊技機である。
【００１１】
請求項７に記載のものは、前記係止部材の押圧部には、前方に向けて突出する係止突出部が形成され、
前記被係止部には、前記位置決め係合部から後方に貫通した貫通孔が形成され、
前記係止部材を係止状態に変換した状態で、前記係止突出部が前記貫通孔に係合するようにしたことを特徴とする請求項６に記載の遊技機である。
【００１２】
請求項８に記載のものは、前記開閉扉には、前記開閉扉本体の裏面上部に前記係止部材を設けると共に、前記開閉扉本体の裏面下部に前記ガラスユニット下部の前後左右方向の位置規制をする係合孔を構成するための裏面部材を設け、
前記周縁保持枠には、当該周縁保持枠の上部に前記被係止部を設けると共に、前記係合孔に係合する係合部を当該周縁保持枠の下部から下方に向けて延設し、
前記開閉扉に前記ガラスユニットを取り付ける場合には、前記係合孔に前記係合部を上方から係合して、前記係止部材で前記被係止部を係止するようにしたことを特徴とする請求項１から請求項７のいずれかに記載の遊技機である。
【００１３】
請求項９に記載のものは、前記裏面部材の裏面には、前記開閉扉を閉じた状態で、前記遊技盤前面に当接する遊技盤当接部を設けたことを特徴とする請求項８に記載の遊技機である。
【発明の効果】
【００１４】
請求項１の発明によれば、ガラスユニットを係止する係止部材の操作部が開閉扉を閉じた状態で遊技盤前面に当接するので、ガラスユニットが押されたり、叩かれたりした場合に、その力を操作部を介して遊技盤に伝達して受けることができる。したがって、ガラスユニットを開閉扉に取り付けている構造物に大きな荷重が掛かって破損することを防止でき、また、ガラスユニット自体が後退することを防止でき、ガラスと遊技盤表面との距離が狭くなって球詰まり等のトラブルが発生することを確実に防止できる。さらに、ガラスユニットが損傷する事態を防止することができる。
【００１５】
請求項２の発明によれば、遊技盤本体の前面で前記遊技領域の外側に取り付けられる遊技盤前面取付部材を備え、前記遊技盤取付部材の前面に、前記係止部材の操作部の後端が当接するようにしたので、ガラスユニットに加えられた後方への力を係止部材の操作部の後端から遊技盤前面取付部材に伝えることができる。したがって、強い力にも耐え得る。
【００１６】
請求項３の発明によれば、前記遊技盤取付部材から前方に突出した状態で当接受部を設け、前記当接受部の前面に、前記係止部材の操作部の後端が当接するようにしたので、操作部の後方への延出長さを大きくする必要がない。したがって、操作部が撓んだりしないし、倒れる方向のモーメントが大きくなることもなく、遊技盤表面とガラスとの位置関係を確実に保つことができる。
【００１７】
請求項４の発明によれば、遊技盤本体の前面で前記遊技領域の外側に取り付けられる遊技盤前面取付部材を備え、前記操作部の後端が前記遊技盤本体の前面に当接するように前記操作部の後方への延出寸法を設定したので、押された力を係止部材だけを介在するだけで一直線に遊技盤表面に伝え易くなり、力の伝達が単純化されて、これにより確実に伝わる。
【００１８】
請求項５の発明によれば、当接受部の前面に、断面略Ｖ字状の溝を形成し、前記溝の傾斜面により、前記操作部の後端を溝の最深部に案内可能としたので、操作部が溝の最深部に当接した状態を維持することができ、ずれたり外れたりすることを防止することができる。
【００１９】
請求項６の発明によれば、当接部には、後方に向けて突出し、先端から基端に向けて次第に拡径するテーパーを形成した突起状の位置決め突部を設け、前記被係止部の前記位置決め突部に対応する位置には、前記位置決め突部に嵌合する位置決め係合部を設けたので、ガラスユニットを取り付ける際に所定位置に合わせ易い。
【００２０】
請求項７の発明によれば、係止部材の押圧部には、前方に向けて突出する係止突出部が形成され、前記被係止部には、前記位置決め係合部から後方に貫通した貫通孔が形成され、前記係止部材を係止状態に変換した状態で、前記係止突出部が前記貫通孔に係合するようにしたので、係止部材が適正な係止状態を維持してずれを生じ難い。したがって、確実な係止状態を維持して押された際の力を確実に遊技盤に伝えることができる。
【００２１】
請求項８の発明によれば、開閉扉には、前記開閉扉本体の裏面上部に前記係止部材を設けると共に、前記開閉扉本体の裏面下部に前記ガラスユニット下部の前後左右方向の位置規制をする係合孔を構成するための裏面部材を設け、前記周縁保持枠には、当該周縁保持枠の上部に前記被係止部を設けると共に、前記係合孔に係合する係合部を当該周縁保持枠の下部から下方に向けて延設し、前記開閉扉に前記ガラスユニットを取り付ける場合には、前記係合孔に前記係合部を上方から係合して、前記係止部材で前記被係止部を係止するようにしたので、ガラスユニットの取付作業を容易に行なうことができる。
【００２２】
請求項９の発明によれば、前記裏面部材の裏面には、前記開閉扉を閉じた状態で、前記遊技盤前面に当接する遊技盤当接部を設けたので、ガラスを押されても遊技盤表面との距離が変わらないし、裏面部材が破損することを防止できる。
【発明を実施するための最良の形態】
【００２３】
以下、本発明の最良の実施の形態を図面に基づいて説明する。  
図１は代表的な遊技機であるパチンコ遊技機（以下、パチンコ機という）の斜視図、図２は開閉扉を開放した状態におけるパチンコ機の斜視図、図３は遊技盤を取り外した状態におけるパチンコ機の斜視図、図４はガラスユニットを取り外した状態における開閉扉の斜め後方から見た斜視図、図５はガラスユニットと補強材を分解した状態における開閉扉の斜め後方から見た斜視図である。
【００２４】
本実施形態に示すパチンコ機１は、外枠（機枠あるいは本体枠）２に、大きな開口部を有する略額縁状の前面枠（内枠）３の一側（図中左側）を開閉可能に取り付け、この前面枠３の遊技盤収納部（図３参照）４内に遊技盤５を交換可能な状態で取り付け、遊技盤５の表面には、表示装置、大入賞口、一般入賞口、アウト口（図示せず）などを配設した遊技領域６をガイドレールなどの遊技領域区画部材７により区画することで形成している。なお、遊技領域区画部材７は遊技領域を単に区画する部材ではなく、本実施形態では、遊技領域の外側に取り付けられる遊技盤前面取付部材としても機能している。
また、前面枠３の前面には、一側（図中左側）が軸着された開閉扉８を回動可能に設け、該開閉扉８に透視可能なガラス板９を収納し、このガラス板９を通して遊技領域６を前方から透視可能な状態で覆い、開閉扉８の下方に上皿ユニット１０と下皿ユニット１１とを左右に少し位置をずらせた状態で上下に設けてある。そして、このパチンコ機１は、その横に設置されたカードユニット（図示せず）のカード挿入口にプリペイドカード等の記憶媒体（遊技価値が記憶されている）を挿入し、開閉扉８の下部に設けられた球貸用操作釦１２を操作すると、パチンコ機１の内部に設けられた球排出装置が作動して遊技球が上皿ユニット１０に排出されるとともに記憶媒体の記憶内容が書き換えられ、返却用操作釦１３を操作するとカードユニット内の記憶媒体がカード挿入口から返却されるように成っている。
【００２５】
前面枠３は、図２及び図３に示すように、矩形状の大きな開口部を少し上寄りに開設した略額縁状の部材であり、前面枠本体１５の裏面側に、遊技盤収納部４を一体成型するとともに、遊技盤収納部４の下部に遊技盤載置台１６を一体成型した大きな合成樹脂製の枠体であり、遊技盤載置台１６の上面に遊技盤５を前方から載置した状態で遊技盤収納部４内に収納し、遊技盤収納部４の壁に設けた止着金具１７により遊技盤５を着脱可能な状態で止着することができるように概略構成されている。そして、この前面枠３の裏面の上部には、球排出系アッセンブリーを、下部裏面には裏流路構成ユニットを、該裏流路構成ユニットの背面には制御装置アッセンブリーをそれぞれ取り付け、最下位置には、ファール球回収口から回収したファール球や球流下路の途中でオーバーフローした遊技球を下皿に向けて案内するシュート流路部材などを取り付けてある（いずれも図示せず）。
【００２６】
また、前面枠３の下部にはフレームボード部１８が設けられており、このフレームボード部１８には、発射操作ユニット１９の後方に当たる箇所に、遊技球を遊技領域６に向かって発射するための発射装置２０を備えている。
【００２７】
次に、開閉扉８について説明する。
開閉扉８は、遊技盤５の遊技領域６の全体が見える大きさの略円形の開口部２１を開設し、前面側にＬＥＤなどで光る装飾部材を設けた合成樹脂製の開閉扉本体２２と、この開閉扉本体２２の裏側に取り付けられるガラスユニット２３と、ガラスユニット２３を前記開口部２１を裏側から覆うように取り付けるために開閉扉本体２２の開口部２１の下方部分に配設された裏面部材２４と、開閉扉本体２２の裏面上部に設けられてガラスユニット２３を係止するための係止部材２５とから概略構成され、開閉扉本体２２の一側上下に設けたヒンジ金具２６により前面枠３の一側に開閉可能に軸着される。
【００２８】
開閉扉本体２２は、合成樹脂により成形された背面開放の浅いカバー状の部材であり、上部の左右にスピーカー２７を設け、前面には前記発光源からの光を通す装飾部を有し、開口部２１の外側一側に貸し球スイッチユニット２８を備え、下部の裏面に、後方に向けて延出した棚状の荷重支持部２９を左右２箇所に一体成形し、該荷重支持部２９によりガラスユニット２３の荷重を支えるように構成してある。また、この開閉扉本体２２の裏面には、開口部２１の内周縁に、後方に向けて起立壁３０が立設され、その外側に壁状の防犯リブ３１が立設され、起立壁３０と防犯リブ３１との間にガラスユニット２３が装着されるように構成されている。そして、この開閉扉本体２２の裏面の開口部の上方に横長な金属製の上補強板３２をねじで固定するとともに、開口部２１の一側（軸着側）に縦長な右補強板（後方から見て右）３３を、開口部２１の他側（自由端側）に縦長な左補強板（後方から見て左）３４を、開口部２１の下方に横長な下補強板３５を右補強板３３，左補強板３４の下端に接続した状態でそれぞれねじで固定し、上記右補強板３３の前側（開閉扉本体２２との間）にヒンジ金具２６を設ける。なお、上補強板３２，右補強板３３，左補強板３４，下補強板３５はそれぞれ金属板製であり、開閉扉本体２２の開口部２１の四方を囲むように付設される補強材として機能する。そして、下補強板３５には、前記荷重支持部２９を挿入する挿入孔４０を形成してある。したがって、この挿入孔４０に前記荷重支持部２９を挿入して下補強板３５を開閉扉本体２２の裏面に取り付け、その後方から下補強板３５を挟んだ状態で前記裏面部材２４を開閉扉本体２２に取り付けることができる。なお、図５中、符号４１は開閉扉本体２２の上部に取り付けられる配線カバー部材であり、符号４２は開閉扉本体２２の右側に取り付けられる防犯部材である。
【００２９】
ガラスユニット２３は、図６に示すように、略馬蹄形を呈する周縁保持枠４５と、この周縁保持枠４５に保持された２枚の透明ガラス板９とからなる。
周縁保持枠４５は、プラスチック製の枠体であり、ガラス板９を保持する部分の断面形状は、図７（ｂ），（ｃ）に示すように、表側と裏側からガラス板９を嵌合して各ガラス板９の周縁の面を当接する当接部４６と、この当接部４６の外周縁から前後方向に延出して各ガラス板９の外周を囲繞する囲繞部４７とからなる略凸字状に成型されており、頂部には乾燥剤収納室４８を形成し、該乾燥剤収納室４８の底部、即ち、当接部４６に貫通孔（図示せず）を開設して当接部４６の内側の空間と外側の空間とを連通してある。また、周縁保持枠４５の外周部分（囲繞部４７）のうち上部の左右（肩部分）に、略三角形の耳片状の被係止部５０を外方（ガラス板９の中心とは反対側）に向けて突設し、直線状底辺の左右に略台形片状の係合部５１を下向きに突設してある。被係止部５０には、ガラスユニット２３の上部の位置決めとして機能するテーパー穴が位置決め係合部５２として開設され、このテーパー穴は、前方から後方に向けて次第に内径が小さくなるように内周面が形成され、この位置決め係合部５２として機能する部分から後方に貫通した貫通孔５３が一連に形成されている。なお、係合部５１は、裏面部材２４の係合孔５５に係合してガラスユニット２３を位置決めするための部材であり、被係止部５０は、位置決めした状態で係止部材２５により係止してガラスユニット２３を開閉扉本体２２に取り付けるための部材であり、いずれに関しても後で詳述する。
【００３０】
周縁保持枠４５にガラス板９を固定する場合には、図７（ｂ）に示すように、ガラス板９を前後から周縁保持枠４５の囲繞部４７内に嵌合してガラス板９の周縁の面を当接部４６に当接し、この状態で接着剤５６で固定して一体化する。この様にしてガラス板９を固定すると、両ガラス板９の周縁部分が周縁保持枠４５に密着し、両ガラス板９の間の空間が頂部の貫通孔を介して外部と連通する。したがって、両ガラス板９の内側が曇り難く、乾燥剤収納室４８内に乾燥剤を収納しておくと一層確実にガラス板９の曇りを防止することができる。
【００３１】
次に、開閉扉本体２２の裏面下部に取り付けられる裏面部材２４について説明する。
裏面部材２４は、図８に示すように、パチンコ機１の表側から見て横長な合成樹脂製の部材であり、横長な背面部６０の上端縁から前方に向けて平坦な上面部６１を略水平に形成し、背面部６０の下端縁から前方に向けて下面部６２を形成し、上面部６１と下面部６２とを接続するようにして補強リブ６３を縦方向に一体成形し、また、上面部６１の前側には、荷重支持部２９に対応する位置に荷重支持部２９を収容して配置し得る大きさの配置切欠部６４を形成し、各荷重支持部２９の外側寄りである左右に、係合孔５５の開口を構成するための係合切欠部６５を上面と前面が開放した窪部（凹み）状に形成してある。この係合切欠部６５は、上記したように裏面部材２４を開閉扉本体２２に取り付けた状態でガラスユニット２３下部の前後左右方向の位置規制をする係合孔５５となる上方開口状態の窪部（凹み）であり、左右の側面は、上から下に下がるに従って左右の幅が狭くなるようなテーパーが形成され、後面は、上から下に下がるに従って前後幅が狭くなるようなテーパーが形成されている。すなわち、係合孔５５の左壁、右壁、及び後壁は、下方に向けて内側に傾斜した状態で形成されている。
【００３２】
この様な構成からなる裏面部材２４を開閉扉本体２２の裏側に取り付けるには、図９に示すように、下補強板３５の挿入孔内に荷重支持部２９を挿入すると共に貫通孔６６内に開閉扉本体２２側のボス６７を挿入した状態で下補強板３５を開閉扉本体２２の裏面に当接し、その後方から下補強板３５を挟んで裏面部材２４を取り付ける。この場合、裏面部材２４の配置切欠部６４を開閉扉８の裏面に向けて当該配置切欠部６４内に荷重支持部２９を収容した状態で裏面部材２４を下補強板３５の背面に当接し、裏面部材２４に形成してあるネジ孔６８内からネジを挿入して締め付けて固定する。
【００３３】
この様にして、開閉扉本体２２の裏側に裏面部材２４を取り付けると、図７及び図１０〜図１１に示すように、開閉扉本体２２から突設した荷重支持部２９の上面が裏面部材２４の上面部６１よりも少し高い位置となり、荷重支持部２９の上面が裏面部材２４の上面から少し上方に突出した状態となり、また、裏面部材２４に形成した係合切欠部６５の前面開放部分が下補強板３５の背面により塞がれるので、上面だけが開口した係合孔５５が形成される。したがって、両係合孔５５内にガラスユニット２３の係合部５１が上方から挿入されると、左右の側壁のテーパー面（傾斜面）が係合部５１を所定の左右位置に案内して左右方向の位置決めを行い、後壁のテーパー面（傾斜面）が係合部５１を所定の前後位置に案内して前後方向の位置決めを行い、これによりガラスユニット２３の下部を開閉扉本体２２に対して所定の位置に取り付け可能とする。また、係合部５１を係合孔５５内に係合させてガラスユニット２３を十分に下降すると、ガラスユニット２３の底面が荷重支持部２９の上面にのみ当接した状態で支持され（図７（ｃ））、ガラスユニット２３の底面と裏面部材２４の上面部６１とは当接することなく間に僅かな空間が形成される。このため、ガラスユニット２３の重量はすべて荷重支持部２９に作用して、裏面部材２４にガラスユニット２３の重量が作用することはない。
また、下補強板３５を挟んで取り付けるので、荷重支持部２９の剛性が増し、ひいては開閉扉８の剛性も増す。
【００３４】
次に、ガラスユニット２３の上部を開閉扉本体２２に取り付ける構成について説明する。
開閉扉本体２２の裏面の上部であってガラスユニット２３の被係止部５０に対応する位置（即ち、開口部２１の外側上部の左右）に、被係止部５０が当接する当接部７０を形成すると共に、その近傍に係止部材２５が回動可能に取り付けられる回動軸７１を設ける。この当接部７０は、被係止部５０が当接してその位置を規制する構成であればどのような構成でもよい。図１２に示すように、先端から基端に向けて次第に拡径するテーパーを形成した円筒突起状の位置決め突部６９を設け、この位置決め突部６９の基端の外側に位置する平坦な面を当接部７０として機能させてもよいし、位置決め突部６９の先端にも当接させてもよい。また、位置決め突部６９は、被係止部５０に開設されたテーパー孔（位置決め係合部５２）が丁度嵌合する大きさと長さに形成されている。一方、回動軸７１は、後述する係止部材２５の軸孔内に丁度嵌合し得る円筒状の突起である。そして、この回動軸７１を中心にした仮想円弧上に壁部７２を立設し、この壁部７２の先端に高さを異ならせることにより、上端部分が最も高いストッパ部７２ａを形成し、その下方に最も低い保持段部７２ｂを形成し、その下方に保持段部よりも少し高いスライド部７２ｃを形成する。
【００３５】
係止部材２５は、図１３に示すように、前記した回動軸７１に嵌合して軸着される円筒状の軸着部７３と、この軸着部７３の先端から軸線に対して直交する方向に腕片状に延設されて前記被係止部５０を押圧する押圧部７４と、この押圧部７４から上記軸線方向の後方に向けて延設した板状の操作部７５とからなり、押圧部７４の前面側の面に略球面状に隆起した係止突出部７６を形成してある。そして、この様な構成からなる係止部材２５を開閉扉本体２２に取り付けるには、軸着部７３を回動軸７１に嵌合して軸着部７３の孔内に抜け止め部材としてネジを締め込んで回動可能な状態で取り付ける。なお、係止部材２５の操作部７５は、ガラスユニット２３が押圧された際の力を遊技盤５側に伝える押圧力伝達部の機能を備えているので、開閉扉本体２２に取り付けられて開閉扉８を閉じた状態で遊技盤５の表面あるいは遊技領域区画部材７等に当接し得る前後寸法に形成されている。
【００３６】
次に、ガラスユニット２３を開閉扉本体２２の裏側に取り付ける際の一連の操作について説明する。なお、開閉扉本体２２は開いた状態で係止部材２５は、図１５に示すように、押圧部７４を上方に回動して保持段部７２ｂに係合した状態で保持しておく。
【００３７】
先ず、ガラスユニット２３を開閉扉本体２２の裏側に臨ませて上部を後方に少し傾けた姿勢で下端の係合部５１を係合孔５５内に上方から差し込む。この時、裏面部材２４の上面部６１をガイドとして機能させながら係合部５１を係合孔５５内に係合（嵌合）でき、更には係合孔５５の内面が傾斜したガイド面として機能するので所定位置に容易に係合できる作業であり、また、荷重支持部２９が嵌合する際の邪魔になることはない。係合部５１を係合孔５５内に係合したならば、ガラスユニット２３を十分に下降する。すると、ガラスユニット２３の底面が荷重支持部２９の上面に当接して裏面部材２４の上面から僅かに離隔した状態で支持されると共に係合部５１と係合孔５５の内面に案内されて下部の左右及び前後の位置決めがなされる。
【００３８】
次に、ガラスユニット２３の上部を開閉扉本体２２の裏面側に押圧して周縁保持枠４５を防犯リブ３１の内側に入れると共に被係止部５０の位置決め係合部５２内に開閉扉本体２２の位置決め突部６９を嵌合してガラスユニット２３の上部の位置決めを行なう。そして、左右の係止部材２５を操作部７５に指を掛けて回動することにより、ガラスユニット２３の被係止部５０上に押圧部７４を移動し、押圧部７４の前面側の係止突出部７６を被係止部５０の貫通孔５３の開口に係合する所定位置で停止し（係止状態）、これによりガラスユニット２３の上部を所定位置に固定する。この係止状態では押圧部７４と当接部７０との間でガラスユニット２３の被係止部５０が挟持されるので、所定の位置で固定される。
【００３９】
この様にしてガラスユニット２３を開閉扉本体２２の裏面に取り付けると、複数のピンを各孔内に同時に嵌合するなどの面倒な操作が不要であり、しかもガラスユニット２３の下部を取り付ける際にはガラスユニット２３を上方から係合孔５５に係合するように構成し、ガラスユニット２３の上部を取り付ける際には開閉扉本体２２側に押圧して係止部材２５を回動するだけで成し得るように構成したので、従来に比較して、取り付け作業が容易且つ確実である。また、係止部材２５の押圧部７４に突設した係止突出部７６が被係止部５０の貫通孔５３に係合しているので、振動などによって係止部材２５が不用意に回動することを防止することができ、また、係止部材２５により被係止部５０を正確な位置で係止することができる。そして、係止部材２５が万一回動したとしても、係止部材２５の押圧部７４が軸着部７３よりも低い位置で係止状態となり、重力によって押圧部７４が下がる方向に付勢されているので、被係止部５０から外れることはない。なお、係止部材２５をロックする手段は、前記した係止突出部７６を被係止部５０の貫通孔５３に係合する構成に限定されるものではなく、公知のロック機構を採用することができる。また、荷重支持部２９でガラスユニット２３の荷重を支持するので、開閉扉本体２２とは別部材の裏面部材２４に荷重がかかり破損してしまうようなことがない。
【００４０】
上記した操作により開閉扉本体２２の裏側にガラスユニット２３を取り付けたならば、開閉扉８を閉じる。すると、図１７及び図１８に示すように、係止部材２５の操作部７５の後端が遊技盤５に近接乃至当接する。したがって、万一、遊技者がガラスユニット２３を手で押したり叩いたとしても、ガラスユニット２３の下部は係合部５１から係合孔５５の内面に伝達されて裏面部材２４で受け止めることができ、ガラスユニット２３の上部は係止部材２５の操作部７５の後端から遊技盤５に伝達されて受け止めることができる。このため、ガラスユニット２３が後退して遊技盤５の表面とガラス板９との間隔が狭くなる不都合を防止でき、また、ガラスユニット２３や係止部材２５が外れたり、損傷することを防止することができる。なお、図１４（ｂ）に示すように、開閉扉本体２２の当接部７０、被係止部５０、係止部材２５、その操作部７５を一直線上に配置して遊技盤５の前面に直交する方向に力が伝わるように構成すると、余分なモーメントが発生することなく遊技盤５に力が伝達されるので、確実に力を受け止めることができる。
また、係止部材２５の操作部７５が当接する部位は、遊技盤５のいずれの位置でも良いが、十分な強度を期待できる部位であることが望ましい。例えば、遊技領域区画部材７など遊技領域の外側に設ける遊技盤前面取付部材の前面、あるいは遊技盤５の表面であることが望ましい。そして、係止部材２５の操作部７５は当接する部位までの距離に応じて後方への延出寸法を適宜設定する。
【００４１】
例えば、図１４に示すように、サイドケースとの呼ばれている遊技領域区画部材７の前面でもよいし、図１８に示すように、サイドケースに遊技盤表面までの貫通空間７７を開設し、この貫通空間７７内に操作部７５を通して遊技盤５の表面に当接させてもよい。この様に、遊技盤５の表面に直接操作部７５を当接すると、一層正確に間隔を保ち得る。
【００４２】
さらに、遊技盤５に操作部７５が当接する当接受部８０を突設してもよい。例えば、図１９に示す遊技盤５は、前面に前記遊技領域６がほぼ円形に形成される遊技盤本体５ａと、前記遊技盤本体５ａの前面に設けられ、遊技領域６を区画する遊技領域区画部材（サイドケース）７と、を備え、遊技盤前面取付部材として機能する前記遊技領域区画部材７に該遊技領域区画部材７から前方に突出した状態で当接受部８０を設け、前記当接受部８０の前面に、前記係止部材２５の操作部７５の後端が当接するようにしたものである。具体的には、上部左右のサイドケース７側から略三角柱状の当接受部８０を前方に向けて突設し、この当接受部８０の三角形の平坦な前面に操作部７５を当接するように構成してある。この様に、当接受部８０をサイドケース７側から突設すると、操作部７５の前後寸法を然程大きく設定する必要がなく、操作部７５に作用する倒れモーメントも小さくて、操作性も良好である。
【００４３】
また、この当接受部８０の前面に、図２０に示すように、断面略Ｖ字状の溝８１を形成し、係止部材２５が係止状態となった位置で、操作部７５の後端が溝８１の最深部に入り込んで当接するように構成しても良い。この様な溝８１を形成すると、溝８１の左右の傾斜面８１ａ，８１ｂが案内面として機能し、操作部７５を最適当接位置である溝８１の最深部に案内することができ、確実性を高めることができ、また、振動等により操作部が溝８１から外れることを未然に防止することができる。さらには、係止部材２５が適正位置でない場合に、溝８１の左右の傾斜面８１ａ，８１ｂが係止状態に案内することも期待できる。なお、この溝８１は、別途設けた当接受部８０の前面に形成するものに限らず、サイドケースの前面に直接形成しても良い。
【００４４】
また、前記した裏面部材２４に関しても、ガラスユニット２３が押されたり、叩かれた場合に、力を遊技盤５に伝達して裏面部材２４の破損を防止するように構成しても良い。例えば、図２２に示すように、裏面部材２４の裏面の左右側部に角片状の遊技盤当接部８２を上向きに延設し、開閉扉８を閉じた状態で、この遊技盤当接部８２が遊技盤５の下端の前面に当接して力を遊技盤５側に伝達する、すなわち、逃がすようにしても良い。この様に構成すると、一層強度が高められ、破損を確実に防止できる。
また、ガラスユニット２３を開閉扉８に取り付ける取付部材である係止部材２５、被係止部５０、係合部５１は、前記実施形態においては２箇所であるが、その数を増加するとさらに確実に受け止めることができる。
なお、係止部材２５だけでガラスユニット２３を取り付けるように構成してもよい。
【００４５】
なお、上記の実施形態は、代表的な遊技機であるパチンコ機１を例に挙げて説明したが、本発明はこれに限らず、その他、ガラス板などの透明部材を通して遊技領域を見るようにした遊技機であればよい。例えば、内部に封入した遊技球を循環させる封入球式パチンコ機、アレンジボール式遊技機、雀球式遊技機等の遊技機であってもよい。
【００４６】
前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００４７】
【図１】パチンコ機の斜視図である。
【図２】開閉扉を開いた状態におけるパチンコ機の斜視図である。
【図３】遊技盤を取り外した状態におけるパチンコ機の斜視図である。
【図４】ガラスユニットを開閉扉本体から分離した状態における開閉扉の裏側後方から見た斜視図である。
【図５】開閉扉本体から各補強板とガラスユニットを分離した状態における開閉扉の裏側後方から見た斜視図である。
【図６】ガラスユニットの斜視図である。
【図７】（ａ）は開閉扉の左下部分の背面図、（ｂ）は（ａ）中のＡ−Ａ断面図、（ｃ）は（ａ）中のＢ−Ｂ断面図である。
【図８】裏面部材の前面側から見た斜視図である。
【図９】裏面部材の取り付け状態を示す開閉扉本体の下部の斜視図である。
【図１０】裏面部材を取り付けた開閉扉本体の下部の斜視図である。
【図１１】ガラスユニットと裏面部材との関係を示す正面図である。
【図１２】開閉扉本体の左上部に取り付ける係止部材、及びその取付部分の斜視図である。
【図１３】係止部材の斜視図である。
【図１４】（ａ）は係止部材を取り付けた開閉扉本体の右上部の背面図、（ｂ）は（ａ）のＡ−Ａ断面図である。
【図１５】ガラスユニットを取り付けて係止部材を解除状態にした開閉扉の左上部の斜視図である。
【図１６】ガラスユニットを取り付けて係止部材を係止状態にした開閉扉の左上部の斜視図である。
【図１７】係止部材の操作部を遊技盤の遊技領域区画部材に当接した状態の説明図である。
【図１８】係止部材の操作部を遊技盤の表面に当接した状態の説明図である。
【図１９】当接受部を突設した遊技盤の斜視図である。
【図２０】当接受部の斜視図である。
【図２１】当接受部を突設した遊技盤の平面図である。
【図２２】遊技盤当接部を一体成形した裏面部材を取り付けた開閉扉の背面図である
【符号の説明】
【００４８】
１  パチンコ機
３  前面枠
５  遊技盤
６  遊技領域
７  遊技領域区画部材
８  開閉扉
９  ガラス
２１  開閉扉の開口部
２２  開閉扉本体
２３  ガラスユニット
２４  裏面部材
２５  係止部材
２９  荷重支持部
３５  下補強板
４５  周縁保持枠
５０  被係止部
５１  係合部
５２  位置決め係合部
５３  貫通孔
５５  係合孔
５６  接着剤
６１  裏面部材の上面部
６４  配置切欠部
６５  係合切欠部
７０  当接部
７１  回動軸
７３  軸着部
７４  押圧部
７５  操作部
７６  係止突出部
７７  貫通空間
８０  当接受部
８１  溝
８２  遊技盤当接部
【図１】
2006020809.tif 000003
【図２】
2006020809.tif 000004
【図３】
2006020809.tif 000005
【図４】
2006020809.tif 000006
【図５】
2006020809.tif 000007
【図６】
2006020809.tif 000008
【図７】
2006020809.tif 000009
【図８】
2006020809.tif 000010
【図９】
2006020809.tif 000011
【図１０】
2006020809.tif 000012
【図１１】
2006020809.tif 000013
【図１２】
2006020809.tif 000014
【図１３】
2006020809.tif 000015
【図１４】
2006020809.tif 000016
【図１５】
2006020809.tif 000017
【図１６】
2006020809.tif 000018
【図１７】
2006020809.tif 000019
【図１８】
2006020809.tif 000020
【図１９】
2006020809.tif 000021
【図２０】
2006020809.tif 000022
【図２１】
2006020809.tif 000023
【図２２】
2006020809.tif 000024